(57)【要約】  【課題】  コンクリート手摺壁の表面に生じる乾燥収縮ひび割れを防止するにあたり、施工が容易で、しかも、広い平板面を形成できるデザイン的にも優れたコンクリート手摺壁の構造を提供する。  【解決手段】  コンクリート手摺壁１に、板状の弾性部材４と、防水シーリング用溝部ａと弾性部材嵌入用溝部ｂとが背中合わせに形成され、前記弾性部材４の上縁及び両側縁に嵌着された目地キャップ５とを、当該コンクリート手摺壁１が弾性部材４によって長手方向複数個に分断される状態に埋設し、目地キャップ５の防水シーリング用溝部ａに防水シーリング６を施して、スリットと同じひび割れ防止効果があるひび割れ防止目地Ａを形成する。  【選択図】  図３
2006283462.tif 000002
【特許請求の範囲】
【請求項１】
コンクリート手摺壁に、板状の弾性部材と、防水シーリング用溝部と弾性部材嵌入用溝部とが形成され、前記弾性部材の上縁及び両側縁に嵌着された目地キャップとを、当該コンクリート手摺壁が長手方向複数個に分断される状態に埋設し、前記目地キャップの第一溝部に防水シーリングを施して、ひび割れ防止目地を形成してあることを特徴とするコンクリート手摺壁の構造。
【請求項２】
防水シーリング用溝部の幅を弾性部材嵌入用溝部の幅よりも狭くしたことを特徴とする請求項１に記載のコンクリート手摺壁の構造。
【請求項３】
コンクリート手摺壁に、弾性部材が埋設されたひび割れ防止目地と、ひび割れ誘発目地とを併設してあることを特徴とする請求項１又は２に記載のコンクリート手摺壁の構造。
【発明の詳細な説明】
【技術分野】
【０００１】
本発明は、建築物などに用いられるコンクリート手摺壁の構造に関し、詳しくは、コンクリートの現場打ちによって構築されたコンクリート手摺壁の表面に生じる乾燥収縮ひび割れを防止するための構造に関する。
【背景技術】
【０００２】
いわゆる現場打ちコンクリート手摺壁における一般的なひび割れ防止構造は、特許文献１に従来例として解説されているとおり、コンクリート手摺壁の内側表面と外側表面にひび割れ防止目地と言われる直線状の切欠き溝を形成するものである。つまり、乾燥収縮によるひび割れを目地部分に集中させることで、他のコンクリート表面にひび割れが生じないようにしようというものである。
【０００３】
しかしながら、ひび割れ防止目地は、目地同士の間隔を狭くしないと乾燥収縮に追随できない場合が多く、コンクリート手摺壁に小間隔に縦目地が現われることになるから、デザイン的に広い平板面を形成したい場合には不向きである。
【０００４】
そのため、ひび割れ防止目地の代わりに、特許文献１の図４に記載されているように、コンクリート手摺壁を完全に分断するスリットを設けることもある。そして、特許文献１では、Ｖ字型やＵ型のスリットを形成することを提案している。
【０００５】
これらのスリットによるひび割れ防止構造は、ひび割れ防止目地よりも乾燥収縮に対する追随性が良く、間隔を広く設定することが可能となるが、デザイン的に好みの差が生じるだけでなく、施工し難いという問題がある。即ち、コンクリート手摺壁をコンクリートの現場打ちによって構築する場合、スリットを形成するための型枠が必要であるが、スリットからの物の落下防止の意味でスリット幅は狭いことが望まれ、この場合、コンクリート硬化後に、小さな隙間に埋まったスリット用型枠を脱型するのは容易ではない。無理に脱型してコンクリートが破損しないとも限らない。
【０００６】
また、最近は、コンクリート手摺壁の表面にタイル貼りするものが多くなっているが、スリットによるひび割れ防止構造、殊に、Ｖ字型やＵ型のスリットでは、スリット部分にタイルの役物が必要になることが多く、過大な費用が掛かるという問題もある。
【０００７】
【特許文献１】特開２００１−１８２１７４号公報
【発明の開示】
【発明が解決しようとする課題】
【０００８】
本発明は、上記の問題点を踏まえてなされたもので、その目的とするところは、コンクリート手摺壁の表面に生じる乾燥収縮ひび割れを防止するにあたり、施工が容易で、しかも、広い平板面を形成できるデザイン的にも優れたコンクリート手摺壁の構造を提供することにある。
【課題を解決するための手段】
【０００９】
上記の目的を達成するために、本発明が講じた技術的手段は、次のとおりである。即ち、請求項１に記載の発明によるコンクリート手摺壁の構造は、コンクリート手摺壁に、板状の弾性部材と、防水シーリング用溝部と弾性部材嵌入用溝部とが形成され、前記弾性部材の上縁及び両側縁に嵌着された目地キャップとを、当該コンクリート手摺壁が長手方向複数個に分断される状態に埋設し、前記目地キャップの防水シーリング用溝部に防水シー
リングを施して、ひび割れ防止目地を形成してあることを特徴としている。
【００１０】
請求項２に記載の発明によるコンクリート手摺壁の構造は、請求項１に記載の発明において、防水シーリング用溝部の幅を弾性部材嵌入用溝部の幅よりも狭くしたことを特徴としている。
【００１１】
請求項３に記載の発明によるコンクリート手摺壁の構造は、請求項１又は２に記載の発明において、コンクリート手摺壁に、弾性部材が埋設されたひび割れ防止目地と、ひび割れ誘発目地とを併設してあることを特徴としている。
【発明の効果】
【００１２】
請求項１に記載の発明の構成によれば、コンクリート手摺壁を分断する状態に板状の弾性部材が埋設されているので、コンクリート手摺壁を分断する状態に形成されるスリットと同じひび割れ防止効果を有し、弾性部材の埋設によるひび割れ防止目地の間隔を大きく設定して広い平板面を形成できる。
【００１３】
それでいて、弾性部材をコンクリート手摺壁に埋設することとしたので、スリットを形成する場合のようにスリット用型枠の脱型という作業を伴わず、施工を簡略化できる。また、コンクリート手摺壁にタイル貼りする場合でも、スリットによる場合のようなタイルの役物を必要とせず、目地キャップに防水シーリング用溝部が形成されているので、防水シーリングのためのバックアップ材も必要としない。
【００１４】
請求項２に記載の発明の構成によれば、弾性部材の厚さの割にコンクリート手摺壁の表面に現われる見掛け上の目地幅を小さく見せることができ、しかも、請求項３に記載の発明のように、弾性部材の埋設によるひび割れ防止目地とひび割れ誘発目地とを併設した場合、見た目を同じにすることが可能であり、タイル貼りをした場合にもタイル目地に対応して目地幅を細くできる。
【００１５】
請求項３に記載の発明の構成によれば、弾性部材の埋設によるひび割れ防止目地の間隔を大きくでき、弾性部材の設置個数を減少し得るので、弾性部材を用いることによるコスト増を極力抑えることができる。
【発明を実施するための最良の形態】
【００１６】
以下、集合住宅のバルコニーなどに設けられるコンクリート手摺壁を例にとって本発明の実施形態を説明する。図１〜図３において、１は、バルコニーなどを構成する片持ちスラブ２の先端にコンクリートの現場打ちによって構築された鉄筋コンクリート造のコンクリート手摺壁であり、コンクリート手摺壁１にはひび割れ防止目地Ａが設けられている。３はコンクリート手摺壁１に連なるアルミ手摺格子である。
【００１７】
前記ひび割れ防止目地Ａは、図２〜図５に示すように、コンクリート手摺壁１に、板状の弾性部材４と、その上縁及び両側縁に嵌着された目地キャップ５とを、当該コンクリート手摺壁１が長手方向複数個に分断される状態に埋設し、目地キャップ５に形成された防水シーリング用溝部ａに防水シーリング６を施すことによって構成されている。防水シーリング６として、この例では二成分形のポリウレタン系樹脂を用いている。ｂは目地キャップ５に形成された弾性部材嵌入用溝部である。
【００１８】
コンクリート手摺壁１の表面の仕上げは、例えばアクリル樹脂の吹き付け、タイル貼り等によって行われるが、この例では、内側（建物側）の表面をアクリル樹脂の吹き付け、外側の表面はタイル７を貼って仕上げてある。８はタイル７の下地モルタルである。タイル７の目地は目地キャップ５の防水シーリング用溝部ａと一致させてあり、前記防水シー
リング６と同じ二成分形のポリウレタン系樹脂による防水シーリング９を施してある。
【００１９】
前記弾性部材４は、耐火性があり、且つ、伸縮性を有する素材であることが望ましく、この例では、ポリエチレン等の高密度発泡体を用いている。弾性部材４の板厚は任意に設定できるが、この例では厚さ２０ｍｍとしている。目地キャップ５の素材として、この例では硬質塩ビを使用しているが、素材として耐火プラスチックを用いることもできる。
【００２０】
前記目地キャップ５は、図６に示すように、帯状基板部の両面に防水シーリング用溝部５ａと弾性部材嵌入用溝部５ｂとを背中合わせに形成した押出し成形品である。防水シーリング用溝部５ａの幅Ｈａは、開口部で１５ｍｍ、溝底部で１０ｍｍに設定され、深さ（奥行き）Ｌが１０ｍｍに設定されている。弾性部材嵌入用溝部５ｂの幅Ｈｂは弾性部材４の厚さと等しく２０ｍｍに設定されているが、弾性部材４の板厚より若干狭くして、弾性部材４の弾性復元力に抗して嵌着するように構成してもよい。
【００２１】
上記のコンクリート手摺壁１は、例えば、次のようにして構築される。先ず、図４と図５（Ａ）に示すように、手摺用の内側型枠１０ａと外側型枠１０ｂの内面の所定位置に、防水シーリング用溝部ａに対応する断面台形状の棒状部材１１を相対向させて固着する一方、弾性部材４の上縁及び両側縁に夫々目地キャップ５を嵌着した状態で、両者４，５を、内側型枠１０ａと外側型枠１０ｂとの間に、前記棒状部材１１を防水シーリング用溝部ａのガイドレールにして挿入し、当該棒状部材１１で弾性部材４及び目地キャップ５を鉛直姿勢に支持する。
【００２２】
この状態で、図５（Ｂ）に示すように、型枠内にコンクリート１２を打設し、当該コンクリート１２の硬化後、脱型し、前記タイル７等による仕上げを行うのである。１３は、適当な時点で型枠内に配筋される鉄筋であり、弾性部材４の両側で互いに分離した状態に配筋される。
【００２３】
上記の構成によれば、コンクリート手摺壁１を分断する状態に板状の弾性部材４が埋設されているので、コンクリート手摺壁を分断する状態に形成されるスリットと同じひび割れ防止効果を有し、弾性部材４の埋設によるひび割れ防止目地Ａの間隔を大きく設定して広い平板面を形成できる。
【００２４】
それでいて、弾性部材４をコンクリート手摺壁１に埋設することとしたので、スリットを形成する場合のようなスリット用型枠の脱型作業がなく、スリットによるひび割れ防止構造よりも施工を簡略化できる。また、コンクリート手摺壁１にタイル７を貼る際、スリットによる場合のようなタイルの役物を必要とせず、目地キャップ５に防水シーリング用溝部５ａが形成されているので、防水シーリング６のためのバックアップ材も必要としない。
【００２５】
しかも、上記の構成によれば、防水シーリング用溝部５ａの幅Ｈａを弾性部材嵌入用溝部５ｂの幅Ｈｂよりも狭くしてあるので、弾性部材４のとして板厚の厚いものを使用してもコンクリート手摺壁１の表面に現われる見掛け上の目地幅を小さく見せることができ、タイル目地に対応して目地幅を細くすることもできる。
【００２６】
また、弾性部材４の埋設によるひび割れ防止目地Ａを設けるため、ひび割れ誘発目地を設ける場合に比してコンクリート手摺壁１の重量、延いては建物重量を軽減できる。即ち、図１１に示すように、コンクリート手摺壁１にひび割れ誘発目地Ｂを設ける場合、コンクリートの欠損による鉄筋１３の被り厚不足が生じないようにするために、コンクリートをわざわざ厚く（フカシｔ）した上で目地用の欠損部１４を形成しているので、耐力計算上必要とされる手摺壁の厚さＴ以上に厚くなるだけでなく、その分だけ余計にコンクリー
トを使用するのでコンクリート手摺壁１が重くなる。その結果、片持ちスラブに負担が掛かるので、片持ちスラブの厚さを厚くする必要が生じ、さらには、建物全体の重量が重くなり、場合によっては杭の径を大きくしなければならないなど多くの課題が生じることになるが、弾性部材４の埋設によるひび割れ防止目地Ａでは、このような課題も解決されることになる。
【００２７】
図７、図８は他の実施形態を示し、片持ちスラブ２の先端面、下面及び上面に、ひび割れ防止目地Ａの延長線上に位置するひび割れ誘発目地Ｂを形成した点に特徴がある。この構成によれば、上述したとおり、目地キャップ５が防水シーリング用溝部５ａの幅Ｈａを弾性部材嵌入用溝部５ｂの幅Ｈｂよりも狭くした断面形状であるから、弾性部材４の厚さが防水シーリング弾の幅より大きいにもかかわらず、弾性部材４の埋設によるひび割れ防止目地Ａとひび割れ誘発目地Ｂの見掛け上の目地幅を同じにすることができる。その他の構成、作用は、図１〜図５の実施形態と同じであるため、説明を省略する。
【００２８】
図９は他の実施形態を示し、コンクリート手摺壁１に、弾性部材４の埋設によるひび割れ防止目地Ａとひび割れ誘発目地Ｂとを併設した点に特徴がある。ひび割れ防止目地Ａとひび割れ誘発目地Ｂとを併設する態様としては、二つのひび割れ防止目地Ａの間にひび割れ誘発目地Ｂを配置するケース、二つのひび割れ誘発目地Ｂの間にひび割れ防止目地Ａを配置するケース、ひび割れ防止目地Ａとひび割れ誘発目地Ｂを交互に配置するケースなどがある。何れの場合も、弾性部材４の埋設によるひび割れ防止目地Ａとひび割れ誘発目地Ｂの見掛け上の目地幅を同じにすることができ、しかも、コンクリート手摺壁１を分断する弾性部材４の配置間隔を大きくすることで、弾性部材４の設置個数が減り、弾性部材４を使用することによるコスト増を極力抑制することができる。その他の構成、作用は、図１〜図５の実施形態と同じであるため、説明を省略する。
【００２９】
図１０は他の実施形態を示す。この実施形態は、図９の場合と同様に、コンクリート手摺壁１に、弾性部材４の埋設によるひび割れ防止目地Ａとひび割れ誘発目地Ｂとを併設することに加え、コンクリート手摺壁１のひび割れ誘発目地Ｂを片持ちスラブ２の先端面、下面及び上面に連続する状態に形成し、さらに、ひび割れ防止目地Ａの延長線上に位置する片持ちスラブ２の先端面、下面及び上面に、ひび割れ誘発目地Ｂを形成した点に特徴がある。その他の構成、作用は図９の実施形態と同じであるため、説明を省略する。
【図面の簡単な説明】
【００３０】
【図１】本発明の実施形態を示すコンクリート手摺壁の正面図である。
【図２】図１で示したコンクリート手摺壁の概略縦断側面図である。
【図３】コンクリート手摺壁の要部の横断平面図である。
【図４】コンクリート手摺壁におけるひび割れ防止目地の施工方法を説明する斜視図である。
【図５】コンクリート手摺壁におけるひび割れ防止目地の施工方法を説明する横断平面図である。
【図６】目地キャップの断面図である。
【図７】他の実施形態を示すコンクリート手摺壁の正面図である。
【図８】図７で示したコンクリート手摺壁の概略縦断側面図である。
【図９】他の実施形態を示すコンクリート手摺壁の正面図である。
【図１０】他の実施形態を示すコンクリート手摺壁の正面図である。
【図１１】ひび割れ誘発目地を説明するコンクリート手摺壁の横断平面図である。
【符号の説明】
【００３１】
Ａ  ひび割れ防止目地
Ｂ  ひび割れ誘発目地
１  コンクリート手摺壁
４  弾性部材
５  目地キャップ
５ａ  防水シーリング用溝部
５ｂ  弾性部材嵌合用溝部
６  防水シーリング
【図１】
2006283462.tif 000003
【図２】
2006283462.tif 000004
【図３】
2006283462.tif 000005
【図４】
2006283462.tif 000006
【図５】
2006283462.tif 000007
【図６】
2006283462.tif 000008
【図７】
2006283462.tif 000009
【図８】
2006283462.tif 000010
【図９】
2006283462.tif 000011
【図１０】
2006283462.tif 000012
【図１１】
2006283462.tif 000013